(57)【要約】【課題】梁に架け渡される横補剛材と天井パネルを同程度の高さに設けた場合にも、天井パネルに取り付ける下地材と、横補剛材との間に十分な隙間を確保する。【解決手段】建物Ｂは、梁と、梁により保持される天井パネル６と、梁の間に架け渡される横補剛材４と、天井パネル６に取り付けられる第１下地材２１と、複数の第１下地材２１を連結し、下方に凹む凹部１１を有する連結部材１０と、連結部材１０により連結された複数の第１下地材２１の下に配され、天井パネル６に取り付けられる第２下地材と、を有する。天井パネル６は、横補剛材４と上下方向において少なくとも一部が重なる高さに配され、連結部材１０の凹部１１は、横補剛材４の下方に配される。【選択図】図６
2019105126.tif 000002
【特許請求の範囲】
【請求項１】
梁と、
前記梁により保持される天井パネルと、
前記梁の間に架け渡される横補剛材と、
前記天井パネルに取り付けられる第１下地材と、
複数の前記第１下地材を連結し、下方に凹む凹部を有する連結部材と、
前記連結部材により連結された前記複数の前記第１下地材の下に配され、前記天井パネルに取り付けられる第２下地材と、を有し、
前記天井パネルは、前記横補剛材と上下方向において少なくとも一部が重なる高さに配され、
前記連結部材の前記凹部は、前記横補剛材の下方に配されることを特徴とする建物。
【請求項２】
前記天井パネルの下端と、前記横補剛材の下端とは略同じ高さにあることを特徴とする請求項１に記載の建物。
【請求項３】
前記凹部は、
底部と、
前記底部から立ち上がる立壁部と、を有し、
前記連結部材は、
前記立壁部から水平方向外側に延出する延出部を有し、
前記延出部が前記天井パネルに当接した状態で、前記連結部材と前記第１下地材が前記天井パネルに取り付けられることを特徴とする請求項１又は２に記載の建物。
【請求項４】
前記立壁部に前記第１下地材が外側から当接した状態で、前記第１下地材、前記延出部及び前記天井パネルを下方から貫く固着具により、前記第１下地材と前記連結部材が前記天井パネルに取り付けられることを特徴とする請求項３に記載の建物。
【請求項５】
前記立壁部の高さは、前記第１下地材の厚みと略等しいことを特徴とする請求項３又は４に記載の建物。
【請求項６】
前記第２下地材は、前記連結部材を下方から覆っていることを特徴とする請求項１乃至５のいずれかに記載の建物。
【請求項７】
前記凹部の幅は、前記横補剛材の幅よりも広いことを特徴とする請求項１乃至６のいずれかに記載の建物。
【発明の詳細な説明】
【技術分野】
【０００１】
本発明は、建物に係り、特に建物の躯体と天井の下地材との間に一定の隙間を確保可能な建物に関する。
【背景技術】
【０００２】
建物の天井としては、建物の梁に取り付けられた金具を用いて天井パネルを吊り下げる構造が知られている（特許文献１を参照）。
特許文献１に記載の天井構造では、天井パネルの吊り下げ位置を調整可能とすることで天井高さを変更可能としている。
【先行技術文献】
【特許文献】
【０００３】
【特許文献１】特開２００１−４９７９０号公報
【発明の概要】
【発明が解決しようとする課題】
【０００４】
ところで、建物の構造躯体を変更することなく、天井高さを部分的に上げる折上天井が知られている。折上天井において、建物の梁に対して横補剛材を設けた場合に、天井において梁と横補剛材との下方には、梁形と呼ばれる下方に突出した形状が現れることが一般的である。
【０００５】
また、天井高を上げるために、横補剛材と天井パネルを同程度の高さに設けると、下地材と横補剛材との隙間が小さくなってしまい、天井面のむくりが取りづらくなってしまう。
【０００６】
本発明は上記の課題に鑑みてなされたものであって、その目的は、梁に架け渡される横補剛材と天井パネルを同程度の高さに設けた場合にも、天井パネルに取り付ける下地材と、横補剛材との間に十分な隙間を確保できる建物を提供することにある。
【課題を解決するための手段】
【０００７】
上記課題は、本発明に係る建物によれば、梁と、前記梁により保持される天井パネルと、前記梁の間に架け渡される横補剛材と、前記天井パネルに取り付けられる第１下地材と、複数の前記第１下地材を連結し、下方に凹む凹部を有する連結部材と、前記連結部材により連結された前記複数の前記第１下地材の下に配され、前記天井パネルに取り付けられる第２下地材と、を有し、前記天井パネルは、前記横補剛材と上下方向において少なくとも一部が重なる高さに配され、前記連結部材の前記凹部は、前記横補剛材の下方に配されることにより解決される。
【０００８】
上記の建物によれば、横補剛材と天井パネルを同程度の高さに設けた場合にも、天井パネルに取り付ける下地材と、横補剛材との間に十分な隙間を確保できる。これにより、横補剛材の下方における天井面において、むくりを取りやすくなる。
また、上記の建物によれば、横補剛材の下方においても段差が生じないように下地材を取付可能である。そのため、天井面の凹凸を減らし、天井面の連続性を向上できる。
【０００９】
上記の建物において、前記天井パネルの下端と、前記横補剛材の下端とは略同じ高さにあるとよい。
こうすることで、横補剛材と干渉しない範囲の下で、下地材を取り付ける位置をできるだけ高くすることができる。これにより、横補剛材の下方の天井高を上げることができる。
【００１０】
上記の建物において、前記凹部は、底部と、前記底部から立ち上がる立壁部と、を有し、前記連結部材は、前記立壁部から水平方向外側に延出する延出部を有し、前記延出部が前記天井パネルに当接した状態で、前記連結部材と前記第１下地材が前記天井パネルに取り付けられるとよい。
こうすることで、第１下地材と連結する連結部材を簡易な構成により実現できる。
【００１１】
上記の建物において、前記立壁部に前記第１下地材が外側から当接した状態で、前記第１下地材、前記延出部及び前記天井パネルを下方から貫く固着具により、前記第１下地材と前記連結部材が前記天井パネルに取り付けられるとよい。
こうすることで、第１下地材と連結部材を一体として天井パネルに固定することができる。また、第１下地材を連結部材の立壁部に当接させることで、第１下地材の水平方向の動きを規制できる。これにより、第１下地材の位置ずれを抑制することができる。
【００１２】
上記の建物において、前記立壁部の高さは、前記第１下地材の厚みと略等しいとよい。
こうすることで、第１下地材と連結部材との間に段差が生じることを抑制できる。これにより、第１下地材と第２下地材との間に隙間が生じることを抑制できる。
【００１３】
上記の建物において、前記第２下地材は、前記連結部材を下方から覆っているとよい。
こうすることで、横補剛材の下方において、横補剛材を跨って水平な天井面を構成できる。これにより、天井面の連続性を高めることができる。
【００１４】
上記の建物において、前記凹部の幅は、前記横補剛材の幅よりも広いとよい。
こうすることで、横補剛材と下地材との隙間を上下及び水平の両方向において広く取ることができる。
【発明の効果】
【００１５】
本発明によれば、梁に架け渡される横補剛材と天井パネルを同程度の高さに設けた場合にも、天井パネルに取り付ける下地材と、横補剛材との間に十分な隙間を確保できる。
【図面の簡単な説明】
【００１６】
【図１】本実施形態に係る建物の天井の外観を示す図である。
【図２】建物における天井を構成する躯体の概要を示す図である。
【図３】天井パネルの構成を示す図である。
【図４】連結部材の構成を示す図である。
【図５】図２のV-V断面図である。
【図６】図２のVI-VI断面図である。
【図７】連結部材を使用しない場合の天井構造を示す図である。
【図８】変形例に係る連結部材を使用した天井構造を示す図である。
【発明を実施するための形態】
【００１７】
以下、図１乃至図８を参照しながら、本発明の実施の形態（以下、本実施形態）に係る建物Ｂについて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１８】
＜建物Ｂの天井構造＞
図１には、建物Ｂの天井１の外観を示した。図１に示されるように、天井１は折上天井であり、梁形１Ａと天井面１Ｂとが交互に形成される。
梁形１Ａは、梁の下方に設けられ、天井１において下方に突出した部分である。
天井面１Ｂは、天井１において上方に凹んだ部分である。換言すれば、天井面１Ｂは、梁形１Ａに比べて天井高が高くなっている部分である。
【００１９】
図２には、建物Ｂの天井１を構成する躯体の概要を示した。図２に示されるように、天井１の躯体部分は、柱５に支持される大梁２と、大梁２に支持される小梁３と、大梁２と小梁３等の梁同士のつなぎ材としての横補剛材４と、を有する。
【００２０】
大梁２は、２つの柱５の間に架け渡される梁であり、例えばＨ形鋼により構成される。
また、小梁３は、２つの大梁２の間に架け渡される梁であり、例えばＨ形鋼により構成される。なお、大梁２は、小梁３に比べて大型の梁であり、より大きな荷重に耐えられるようになっている。
【００２１】
そして、図２に示されるように、梁（大梁２及び小梁３）と横補剛材４とにより区画される領域には、枠体状の天井パネル６が配される。
ここで、図３に示されるように、天井パネル６は、互いに並行に並ぶ複数の第１角材６Ａを、第２角材６Ｂにより連結して構成される格子体である。もちろん天井パネル６の構成は図３に示したものに限られず、他の構成であってもよい。
【００２２】
そして、天井パネル６は、小梁３（又は大梁２）の上端を構成する上フランジ３Ｂに取り付けられる図示しない保持具により保持される。これにより、天井パネル６が小梁３（又は大梁２）に保持されることとなる。なお、図５は、梁形１Ａの箇所の断面に相当する。
【００２３】
また、図５に示されるように、天井パネル６は上下方向において、小梁３の上フランジ３Ｂと下フランジ３Ｃの間に設けられる。換言すれば、天井パネル６は、上下方向において、ウェブ３Ａと対向する高さに設けられる。
【００２４】
そして、図５に示されるように、天井パネル６の下方側には、下地材２０が取り付けられる。ここで、下地材２０は例えば石膏ボードであり、第１下地材２１、第２下地材２２Ａ（第２下地材２２）の二層構造をなす。
【００２５】
具体的には、ビス１５Ａ（固着具）を用いて、天井パネル６の下面に第１下地材２１が当接した状態で取り付けられる。ここで、ビス１５Ａには、第１下地材２１を貫通し、天井パネル６に届く長さのものを用いることとする。
さらに、ビス１５Ｂ（固着具）を用いて、第１下地材２１の下面に第２下地材２２Ａが当接した状態で取り付けられる。ここで、ビス１５Ｂには、第１下地材２１及び第２下地材２２Ａを貫通し、天井パネル６に届く長さのものを用いることとする。
【００２６】
そして、第１下地材２１及び第２下地材２２Ａは、上下方向において、上フランジ３Ｂと下フランジ３Ｃの間、すなわちウェブ３Ａと対向する位置に配される。そこで、第２下地材２２Ａには、小梁３のウェブ３Ａ及び下フランジ３Ｃを囲むように、下方に突出した収容空間を構成する第２下地材２２Ｂが取り付けられる。
具体的には、第２下地材２２Ｂは断面コの字形をなし、第２下地材２２Ｂの底部は、第２下地材２２Ａよりも低い位置に設けられる。なお、第２下地材２２Ｂの部分が、天井１における梁形１Ａの箇所に相当する。
【００２７】
次に、図６を参照しながら、横補剛材４の設置箇所に係る天井１の構成について説明する。
図６に示されるように、天井パネル６は、上下方向において横補剛材４と少なくとも一部が重なる位置に配される。具体的には、天井パネル６の下端と、横補剛材４の下端部４Ａとは上下方向において略同じ位置に配される。
【００２８】
ここで、図６に示されるように、天井パネル６の下面に取り付けられる下地材２０は、第１下地材２１（第１下地材２１Ａ及び第１下地材２１Ｂ）と、第２下地材２２の二層構造をなす。
ただし、上層の第１下地材２１は、第１下地材２１Ａ、第１下地材２１Ｂ、及び連結部材１０を有する。ここで、連結部材１０は、第１下地材２１Ａと第１下地材２１Ｂの間に設けられ、両者を連結する金物である。
【００２９】
図４には、連結部材１０の外観を示した。図４に示されるように、連結部材１０は、設置状態において下方に凹む凹部１１と、凹部１１の左右端部から水平方向外側に延出する延出部１２とを有する。連結部材１０は、例えば金属製（鋼製）の薄板（例えば０．４ｍｍの厚み）を加工して構成したものである。
【００３０】
具体的な構成としては、凹部１１は、底部１１Ａと、底部１１Ａの左右のそれぞれから立ち上がる立壁部１１Ｂとを有する。
そして、延出部１２は、立壁部１１Ｂの上端から水平方向外側、すなわち底部１１Ａとは反対側に延出している。
ここで、図６に示されるように、横補剛材４の断面における幅方向（図６における左右方向）に関し、底部１１Ａは、横補剛材４よりも長くなっている。
また、立壁部１１Ｂの高さは、第１下地材２１（第１下地材２１Ａ及び第１下地材２１Ｂ）の厚みと略等しくなっている。
また、延出部１２の上記左右方向に関する延出長さは、例えば天井パネル６の第１角材６Ａ、第２角材６Ｂの短手方向の幅よりも長くなっている。
【００３１】
そして、連結部材１０の左右の立壁部１１Ｂに対して、外側から第１下地材２１Ａ及び第１下地材２１Ｂを当接するように配置する。具体的には、立壁部１１Ｂの外側面と、延出部１２の下面とに当接するように第１下地材２１Ａと第１下地材２１Ｂとをそれぞれ配置する。
次に、ビス１５Ａを用いて、第１下地材２１（第１下地材２１Ａ、第１下地材２１Ｂ）と、連結部材１０の延出部１２と、天井パネル６を固定する。具体的には、ビス１５Ａが、第１下地材２１（第１下地材２１Ａ、第１下地材２１Ｂ）と、延出部１２を貫き、先端が天井パネル６に貫入することで、第１下地材２１（第１下地材２１Ａ、第１下地材２１Ｂ）と、連結部材１０とを一体として、天井パネル６に対して固定する。
【００３２】
そして、図６に示されるように、第１下地材２１Ａ、第１下地材２１Ｂ及び連結部材１０により構成される上層の下地材の下面には、ビス１５Ｂを用いて第２下地材２２が取り付けられる。
ここで、第２下地材２２は、第１下地材２１Ａ、連結部材１０、第１下地材２１Ｂの下面の全面に渡って取り付けられる。すなわち、第２下地材２２は第１下地材２１Ａ、第１下地材２１Ｂだけでなく、連結部材１０の下方を覆う位置にも設けられる。
これにより、横補剛材４の下方には、図１に示すように、平らな天井面１Ｂが構成可能となる。
なお、第２下地材２２は一枚の石膏ボードに限られず、複数枚の石膏ボードを水平方向に並べて構成したものとしてよい。
【００３３】
図６に示されるように、横補剛材４の下方には連結部材１０の凹部１１が配される。これにより、横補剛材４の下端部４Ａと下地材２０の間には隙間が形成される。具体的には、横補剛材４の下端部４Ａから下地材２０の間には、少なくとも立壁部１１Ｂの高さ分の隙間が形成される。そのため、天井面１Ｂについて、むくりを取りやすくなる。すなわち、横補剛材４に向かって天井パネル６を上方に僅かに傾けた状態で取り付けることで、天井パネル６により構成される天井のフレーム形状を上方に凸の形状とすることができる。
こうすることで、天井パネル６に下地材２０を取り付けた場合に、下地材２０の重量により下地材２０が下方に撓むことで、天井面１Ｂを水平とすることができる。
【００３４】
一方で、図７に示されるように、連結部材１０を用いない場合には、横補剛材４の下端部４Ａと第１下地材２１との隙間が極めて小さくなる。そのため、連結部材１０を用いない場合には、天井面にむくりを取ることが困難となる。すなわち、天井パネル６と横補剛材４とを同程度の高さに配置した場合に、連結部材１０を用いないときには、天井面を水平とすることが困難となる。
【００３５】
＜その他の実施形態＞
本発明は上記の実施形態に限定されるものではない。
図８には、変形例に係る連結部材１０を用いた場合の、図２のVI-VIにおける断面図を示した。
図８に示されるように、変形例に係る連結部材１０は、延出部１２の外側端部に天井パネル６に係合する係合部１３が設けられている。係合部１３は、連結部材１０の延出部１２の端部から上方に向けて立ち上がるとともに、僅かに凹部１１側（すなわち内側）に屈曲している。これにより、係合部１３は弾性を有し、左右の天井パネル６を挟み込むようにして、天井パネル６に係合する。
こうすることで、第１下地材２１Ａ、第１下地材２１Ｂ及び連結部材１０を下方から天井パネル６に取り付けると、連結部材１０が天井パネル６を挟持する位置に収まるため、連結部材１０の位置決めが可能となる。また、連結部材１０が天井パネル６を挟持することで、第１下地材２１Ａ、第１下地材２１Ｂ、連結部材１０を連結した上層の下地部材を下から支持する際の労力を低減できる。
【００３６】
また、連結部材１０の延出部１２の上面には接着剤を塗布し、延出部１２と天井パネル６とを接着させるようにしてもよい。
【００３７】
本発明に係る天井構造は、建物Ｂの上階と下階の間の天井に対しても、屋根下の天井に対しても同様に適用可能である。
【００３８】
＜まとめ＞
以上説明した本実施形態に係る建物Ｂの主な特徴は以下の通りである。
建物Ｂは、梁（大梁２、小梁３）と、梁により保持される天井パネル６と、梁の間に架け渡される横補剛材４と、天井パネル６に取り付けられる第１下地材２１と、複数の第１下地材２１を連結し、下方に凹む凹部１１を有する連結部材１０と、連結部材１０により連結された複数の第１下地材２１の下に配され、天井パネル６に取り付けられる第２下地材と、を有する。天井パネル６は、横補剛材４と上下方向において少なくとも一部が重なる高さに配され、連結部材１０の凹部１１は、横補剛材４の下方に配される。
【００３９】
建物Ｂによれば、横補剛材４と天井パネル６を同程度の高さに設けた場合にも、天井パネル６に取り付ける下地材２０と、横補剛材４との間に十分な隙間を確保できる。これにより、横補剛材４の下方における天井面において、むくりを取りやすくなる。
また、建物Ｂによれば、横補剛材４の下方においても段差が生じないように下地材２０（第２下地材２２）を取付可能である。そのため、天井面の凹凸を減らし、天井面の連続性を向上できる。
【００４０】
また、建物Ｂにおいて、天井パネル６の下端と、横補剛材４の下端（下端部４Ａ）とは略同じ高さにある。
こうすることで、横補剛材４と干渉しない範囲の下で、下地材２０を取り付ける位置をできるだけ高くすることができる。これにより、横補剛材４の下方の天井高を上げることができる。
【００４１】
また、建物Ｂにおいて、凹部１１は、底部１１Ａと、底部１１Ａから立ち上がる立壁部１１Ｂと、を有する。連結部材１０は、立壁部１１Ｂから水平方向外側に延出する延出部１２を有し、延出部１２が天井パネル６に当接した状態で、連結部材１０と第１下地材２１が天井パネル６に取り付けられる。
こうすることで、第１下地材２１と連結する連結部材１０を簡易な構成により実現できる。
【００４２】
また、建物Ｂにおいて、立壁部１１Ｂに第１下地材２１が外側から当接した状態で、第１下地材２１、延出部１２及び天井パネル６を下方から貫く固着具（ビス１５Ａ）により、第１下地材２１と連結部材１０が天井パネル６に取り付けられる。
こうすることで、第１下地材２１と連結部材１０を一体として天井パネル６に固定することができる。また、第１下地材２１を連結部材１０の立壁部１１Ｂに当接させることで、第１下地材２１の水平方向の動きを規制できる。これにより、第１下地材２１の位置ずれを抑制することができる。
【００４３】
また、建物Ｂにおいて、立壁部１１Ｂの高さは、第１下地材２１の厚みと略等しい。
こうすることで、第１下地材２１と連結部材１０との間に段差が生じることを抑制できる。これにより、第１下地材２１と第２下地材２２との間に隙間が生じることを抑制できる。
【００４４】
また、建物Ｂにおいて、第２下地材２２は、連結部材１０を下方から覆っている。
こうすることで、横補剛材４の下方において、横補剛材４を跨って水平な天井面を構成できる。これにより、天井面の連続性を高めることができる。
【００４５】
また、建物Ｂにおいて、凹部１１の幅は、横補剛材４の幅よりも広い。
こうすることで、横補剛材４と下地材２０との隙間を上下及び水平の両方向において広く取ることができる。
【符号の説明】
【００４６】
Ｂ  建物
１  天井
１Ａ  梁形
１Ｂ  天井面
２  大梁
３  小梁
３Ａ  ウェブ
３Ｂ  上フランジ
３Ｃ  下フランジ
４  横補剛材
４Ａ  下端部
５  柱
６  天井パネル
６Ａ  第１角材
６Ｂ  第２角材
１０  連結部材
１１  凹部
１１Ａ  底部
１１Ｂ  立壁部
１２  延出部
１３  係合部
１５Ａ  ビス
１５Ｂ  ビス
２０  下地材
２１  第１下地材
２１Ａ  第１下地材
２１Ｂ  第１下地材
２２  第２下地材
２２Ａ  第２下地材
２２Ｂ  第２下地材
【図１】
2019105126.tif 000003
【図２】
2019105126.tif 000004
【図３】
2019105126.tif 000005
【図４】
2019105126.tif 000006
【図５】
2019105126.tif 000007
【図６】
2019105126.tif 000008
【図７】
2019105126.tif 000009
【図８】
2019105126.tif 000010